【手続補正書】
【提出日】平成26年5月23日(2014.5.23)
【手続補正１】
【補正対象書類名】明細書
【補正対象項目名】０００７
【補正方法】変更
【補正の内容】
【０００７】
上記目的を達成するために、本発明は、機器の筺体と、弾性体で形成される表示板であって少なくとも２つ以上の姿勢で前記筐体外装面に取付けることができる表示板と、を備える表示板の取付け構造であって、前記表示板は、表示面に対して裏側の面に突設された軸であってその先端に係止爪を備える軸と、少なくとも２つの係合片であってそれぞれが鍵状突起を有する係合片と、前記係合片が設けられている側の前記表示面の裏面の端部に少なくとも２つの切り欠きと、を備え、前記筐体外装面は、前記軸が挿通される支持孔と、前記少なくとも２つの係合片と係合する少なくとも２つの係合孔とを備え、前記軸が前記支持孔に挿通されると、前記係止爪は前記表示板の前記軸の延在する方向への動きを規制し、前記少なくとも２つの係合片が前記少なくとも２つの係合孔に挿通されると前記鍵状突起と前記少なくとも２つの係合孔が係合し、前記表示板が前記筐体外装面に装着される、ことを特徴とする。
【手続補正２】
【補正対象書類名】明細書
【補正対象項目名】０００９
【補正方法】変更
【補正の内容】
【０００９】
【図１】本発明の第１実施例に係る、表示板の取付け構造を備えた雲台装置の斜視図。
【図２】図１をＹ視方向から見た表示部ｚの分解斜視図。
【図３】図２の構成を雲台装置内部から見た、表示部ｚの分解斜視図。
【図４】表示板４が収容部５に装着された状態を表す、図１のＸ−Ｘ断面図。
【図５】図４に対して、表示板４の係合片４Ｃが、係合孔５Ｂより抜けた状態を表す図。
【図６】本発明の第１の実施例に係る、表示板の取付け構造を備えた雲台装置の天吊時の斜視図。
【図７】表示板４の係合片４Ｃが、係合孔５Ｂより抜け、表示板４が回転可能となった状態を表す斜視図。
【図８】表示板４の係合片４Ｃの形状を別の係合片４Ｃ１に変更した図。
【図９】表示板４の係合片４Ｃの鍵状突起４Ｂが、係合孔５Ｂに付する付勢力を示す模式図。
【図１０】本発明の第２の実施例に係る表示板の取付け構造の、表示板４１と収容部５１の分解斜視図。
【図１１】図１０の構成を雲台装置内部から見た図。
【手続補正３】
【補正対象書類名】明細書
【補正対象項目名】００１７
【補正方法】変更
【補正の内容】
【００１７】
また図８で示されるように、表示板４の係合片４Ｃを、係合片４Ｃ１のように中央部を切り欠いた形状にしてもよい。すなわち、表示板４の長手方向における両端側に設けられた係合片４Ｃを、長手方向と直交する方向である横方向に分割された複数の係合片からなる（横方向に延在する構成部分を有さない）係合片４Ｃ１としてもよい。係合片をこのように構成することで、表示板４の長手方向における両端側に設けられた係合片４Ｃ１によって、長手方向と垂直な方向である横方向（すなわち、図８中に示す矢印方向）に曲率を付するような曲げに対して剛性を高めることなく、雲台装置等の筐体装着部の横方向の曲面にもならって表示板４を装着することが出来る。
【手続補正４】
【補正対象書類名】特許請求の範囲
【補正対象項目名】全文
【補正方法】変更
【補正の内容】
【特許請求の範囲】
【請求項１】
機器の筺体と、弾性体で形成される表示板であって少なくとも２つ以上の姿勢で前記筐体外装面に取付けることができる表示板と、を備える表示板の取付け構造であって、
前記表示板は、表示面に対して裏側の面に突設された軸であってその先端に係止爪を備える軸と、少なくとも２つの係合片であってそれぞれが鍵状突起を有する係合片と、前記係合片が設けられている側の前記表示面の裏面の端部に少なくとも２つの切り欠きと、を備え、
前記筐体外装面は、前記軸が挿通される支持孔と、前記少なくとも２つの係合片と係合する少なくとも２つの係合孔とを備え、
前記軸が前記支持孔に挿通されると、前記係止爪は前記表示板の前記軸の延在する方向への動きを規制し、
前記少なくとも２つの係合片が前記少なくとも２つの係合孔に挿通されると前記鍵状突起と前記少なくとも２つの係合孔が係合し、前記表示板が前記筐体外装面に装着される、
ことを特徴とする表示板の取付け構造。
【請求項２】
機器の筺体と、弾性体で形成される表示板であって少なくとも２つ以上の姿勢で前記筐体外装面に取付けることができる表示板と、を備える表示板の取付け構造であって、
前記表示板は、表示面に対して裏側の面に突設された軸であってその先端に係止爪を備える軸と、少なくとも２つの係合片であってそれぞれが鍵状突起を有する係合片とを備え、
前記筐体外装面は、前記軸が挿通される支持孔と、前記少なくとも２つの係合片と係合する少なくとも２つの係合孔とを備え、
前記軸が前記支持孔に挿通されると、前記係止爪は前記表示板の前記軸の延在する方向への動きを規制し、
前記少なくとも２つの係合片が前記少なくとも２つの係合孔に挿通されると前記鍵状突起と前記少なくとも２つの係合孔が係合し、前記表示板が前記筐体外装面に装着され、
前記少なくとも２つの係合片は、前記軸に対して回転対称な位置に形成され、
前記少なくとも２つの係合片の前記鍵状突起のそれぞれが前記係止爪を備える軸の反対側のみを向き、
前記表示板の前記筐体外装面側の面の曲率半径をＲ１、前記表示板を取り付ける前記筐体外装面の装着面の曲率半径をＲ２、前記表示板の前記筐体外装面側の面が前記表示面側に凸となる場合の前記Ｒ１の符号を正、前記装着面が前記表示板側に凸となる場合の前記Ｒ２の符号を正とするとき、
Ｒ１×Ｒ２＞０、かつ、Ｒ１＞Ｒ２、
Ｒ１＜０、かつ、Ｒ２＞０、
取付ける装着面が平面、かつ、Ｒ１＜０、
のいずれかを満たす、
ことを特徴とする表示板の取付け構造。
【請求項３】
機器の筺体と、弾性体で形成される表示板であって少なくとも２つ以上の姿勢で前記筐体外装面に取付けることができる表示板と、を備える表示板の取付け構造であって、
前記表示板は、表示面に対して裏側の面に突設された軸であってその先端に係止爪を備える軸と、少なくとも２つの係合片であってそれぞれが鍵状突起を有する係合片とを備え、
前記筐体外装面は、前記軸が挿通される支持孔と、前記少なくとも２つの係合片と係合する少なくとも２つの係合孔とを備え、
前記軸が前記支持孔に挿通されると、前記係止爪は前記表示板の前記軸の延在する方向への動きを規制し、
前記少なくとも２つの係合片が前記少なくとも２つの係合孔に挿通されると前記鍵状突起と前記少なくとも２つの係合孔が係合し、前記表示板が前記筐体外装面に装着され、
前記少なくとも２つの係合片は、前記軸に対して回転対称な位置に形成され、
前記少なくとも２つの係合片の前記鍵状突起のそれぞれが前記係止爪を備える軸の側のみを向き、
前記表示板の前記筐体外装面側の面の曲率半径をＲ１、前記表示板を取り付ける前記筐体外装面の装着面の曲率半径をＲ２、前記表示板の前記筐体外装面側の面が前記表示面側に凸となる場合の前記Ｒ１の符号を正、前記装着面が前記表示板側に凸となる場合の前記Ｒ２の符号を正とするとき、
Ｒ１×Ｒ２＞０、かつ、Ｒ１＜Ｒ２、
Ｒ１＞０、かつ、Ｒ２＜０、
取付ける装着面が平面、かつ、Ｒ１＞０、
のいずれかを満たす、
ことを特徴とする表示板の取付け構造。
【請求項４】
前記表示板を形成する弾性体は、ゴム、シリコンゴム、プラスチックのいずれか一つであることを特徴とする請求項１乃至３のいずれか１項に記載の表示板の取付け構造。
【請求項５】
前記少なくとも２つの係合片は、前記表示板の長手方向と直交する方向に分割して構成されることを特徴とする、請求項１乃至４のいずれか１項に記載の表示板の取付け構造。
【請求項６】
前記軸は、樹脂材料により構成されていることを特徴とする、請求項１乃至５のいずれか１項に記載の表示板の取付け構造。
【請求項７】
前記表示板の、前記少なくとも２つの係合片が設けられている側の、表示面の裏面の端部に少なくとも２つの切り欠きを備えることを特徴とする、請求項１乃至６のいずれか１項に記載の表示板の取付け構造。
【請求項８】
請求項１乃至７のいずれか１項に記載の表示板の取付け構造を有することを特徴とする雲台装置。
【請求項９】
請求項１乃至７のいずれか１項に記載の表示板の取付け構造を有することを特徴とするカメラ装置。